(57)【特許請求の範囲】
【請求項１】
基準信号ＤＭ−ＲＳ、チャネル状態指示基準信号ＣＳＩ−ＲＳのうち少なくとも一方に対して測量を行い、ＳＣＣに対して無線リンク測量を行う測量モジュールと、
測量結果に基づいて前記ＳＣＣに対してアクティブ制御を行うアクティブ制御モジュールとを有し、
前記測量モジュールが前記ＳＣＣに対した無線リンク測量はＲＬＭ測量を含み、前記ＳＣＣに対してＲＬＭ測量を行う時、前記測量モジュールは、前記ＤＭ−ＲＳにより高度化物理ダウンリンク制御チャネル（ｅＰＤＣＣＨ）及び／又は物理ダウンリンク共有チャネル（ＰＤＳＣＨ）に対して測量を行う、
ことを特徴とするニューキャリアタイプ（ＮＣＴ）セカンダリコンポーネントキャリア（ＳＣＣ）のアクティブ制御装置。
【請求項２】
前記測量モジュールは前記ＤＭ−ＲＳと前記ＣＳＩ−ＲＳのうち少なく一方の配置情報によって、前記ＤＭ−ＲＳと前記ＣＳＩ−ＲＳ中のうち少なく前記一方により前記ＳＣＣに対して前記無線リンク測量を行う、
ことを特徴とする請求項１に記載のアクティブ制御装置。
【請求項３】
前記アクティブ制御モジュールは無線リンク管理（ｒａｄｉｏ  ｌｉｎｋ  ｍａｎａｇｅｍｅｎｔ（ＲＬＭ））測量により前記ＳＣＣに無線リンク失敗（Ｒａｄｉｏ  Ｌｉｎｋ  Ｆａｉｌｕｒｅ（ＲＬＦ））が出れば、前記ＳＣＣに対してアクティブ消去を行う、
ことを特徴とする請求項２記載のアクティブ制御装置。
【請求項４】
通信モジュール、前記ＳＣＣにＲＬＦが出ること、と前記ＳＣＣがアクティブ消去されることをネット側に通知することをさらに有する、
ことを特徴とする請求項３記載のアクティブ制御装置。
【請求項５】
前記測量モジュールが前記ＳＣＣに対しての無線リンク測量は無線リソース管理ＲＲＭ測量を含み、且つ、前記アクティブ制御モジュールは基地局がＲＲＭ測量結果によって確定したアクティブ又はアクティブ消去の指示により、前記ＳＣＣに対して相応するアクティブ制御を行う、
ことを特徴とする請求項３記載のアクティブ制御装置。
【請求項６】
前記測量モジュールはさらに、ＲＬＭ測量過程において前記ＳＣＣに無線リンク問題（ＲＬＰ）が出ることを検測する場合に、ＲＬＰが出る原因を検測して且つ当該原因を基地局に報告する、
ことを特徴とする請求項１記載のアクティブ制御装置。
【請求項７】
前記測量モジュールはＲＬＰのタイプを検測することによりＲＬＰが出る原因を確定し、前記ＲＬＰのタイプは一部周波数バンドディープフェージング及び一部周波数バンド干渉が大きすぎることを含み、前記測量モジュールはＣＳＩ−ＲＳと縮減されたＣＲＳのうち少なくとも一方により前記ＳＣＣの全周波数バンドに対して測量を行い、且つ全周波数バンドの測量結果とｅＰＤＣＣＨが位置する一部周波数バンドの測量結果とを比較してＲＬＰのタイプを確定する、
ことを特徴とする請求項６記載のアクティブ制御装置。
【請求項８】
前記測量モジュールはさらに、前記ＳＣＣに対して無線リンク回復ＲＬＲ検測を行い、前記ＲＬＲ検測時、前記測量モジュールは、前記ＤＭ−ＲＳにより前記ＳＣＣの一部周波数バンドに対してＲＬＲ検測を行い、及び／又は縮減されたＣＲＳにより前記ＳＣＣの全周波数バンドに対してＲＬＲ検測を行い、そのうち、前記ＲＬＲ検測により前記ＳＣＣが前記ＲＬＰから回復できないと検測すると、前記測量モジュールは前記ＳＣＣに前記ＲＬＦが出ることを確定する、
ことを特徴とする請求項６記載のアクティブ制御装置。
【請求項９】
前記測量モジュールは前記ＤＭ−ＲＳにより物理ダウンリンク共有チャネル（ＰＤＳＣＨ）に対して測量を行う時、符号変調方案ＭＣＳと検測したブロック誤り率（ＢＬＥＲ）により獲得された前記ＰＤＳＣＨの伝送効率を評価閾として前記ＰＤＳＣＨに対して評価する、
ことを特徴とする請求項１に記載の起動制御装置。
【請求項１０】
前記測量モジュールは、ＤＭ−ＲＳにより高度化物理ダウンリンク制御チャネル（ｅＰＤＣＣＨ）に対して測量を行う時に、測量結果を所定ダウンリンク制御情報（ＤＣＩ）格式のブロック誤り率（ＢＬＥＲ）にマップして且つ当該ＢＬＥＲにより当該ｅＰＤＣＣＨに対して評価する
ことを特徴とする請求項１に記載の起動制御装置。
【請求項１１】
基準信号（ＤＭ−ＲＳ）、チャネル状態指示基準信号（ＣＳＩ−ＲＳ）のうち少なくとも一方よって、ＳＣＣに対して無線リンク測量を行うことと、
測量結果に基づいて前記ＳＣＣに対してアクティブ制御を行うことを備え、
前記ＳＣＣに対した無線リンク測量はＲＬＭ測量を含み、前記ＳＣＣに対してＲＬＭ測量を行う時、前記無線リンク測量は、前記ＤＭ−ＲＳにより高度化物理ダウンリンク制御チャネル（ｅＰＤＣＣＨ）及び／又は物理ダウンリンク共有チャネル（ＰＤＳＣＨ）に対して測量を行う、
ことを特徴とするニューキャリアタイプ（ＮＣＴ）セカンダリコンポーネントキャリア（ＳＣＣ）のアクティブ制御方法。
【請求項１２】
無線リンク測量は、
前記ＤＭ−ＲＳと前記ＣＳＩ−ＲＳのうち少なく一方の配置情報によって、前記ＤＭ−ＲＳと前記ＣＳＩ−ＲＳ中のうち少なく前記一方によりＳＣＣに対して前記無線リンク測量を行う、
ことを特徴とする請求項１１に記載のアクティブ制御方法。
【請求項１３】
測量結果に基づいて前記ＳＣＣに対してアクティブ制御を行う時、無線リンク管理（ｒａｄｉｏ  ｌｉｎｋ  ｍａｎａｇｅｍｅｎｔ（ＲＬＭ））測量により前記ＳＣＣに無線リンク失敗（Ｒａｄｉｏ  Ｌｉｎｋ  Ｆａｉｌｕｒｅ（ＲＬＦ））が出る場合に、前記ＳＣＣに対してアクティブ消去を行う、
ことを特徴とする請求項１２に記載のアクティブ制御方法。
【請求項１４】
前記ＳＣＣに対しての無線リンク測量は無線リソース管理（ＲＲＭ）測量を含み、且つ、基地局がＲＲＭ測量結果によって確定したアクティブ又はアクティブ消去の指示により、前記ＳＣＣに対して相応するアクティブ制御を行う、
ことを特徴とする請求項１３記載のアクティブ制御方法。
【請求項１５】
ＲＬＭ測量過程において前記ＳＣＣに無線リンク問題（ＲＬＰ）が出ることを検測する場合に、ＲＬＰが出る原因を検測して且つ当該原因を基地局に報告する、
ことを特徴とする請求項１１記載のアクティブ制御方法。
【請求項１６】
ニューキャリアタイプ（ＮＣＴ）セカンダリコンポーネントキャリア（ＳＣＣ）を含むユーザー機器のキャリア集合に対して管理を行う基地局装置であって、
ユーザー機器から基準信号（ＤＭ−ＲＳ）、チャネル状態指示基準信号（ＣＳＩ−ＲＳ）のうち少なくとも一方によりＳＣＣに対して無線リンク測量を行って得る結果を受信する通信モジュールと、
測量結果に基づいてユーザー機器のキャリア集合における前記ＳＣＣのアクティブ状態に対して管理を行う管理モジュールとを有し、
前記通信モジュールはさらにユーザー機器がＤＭ−ＲＳにより高度化物理ダウンリンク制御チャネル（ｅＰＤＣＣＨ）及び／又は物理ダウンリンク共有チャネル（ＰＤＳＣＨ）に対して無線リンク管理（ｒａｄｉｏ  ｌｉｎｋ  ｍａｎａｇｅｍｅｎｔ（ＲＬＭ））測量を行って報告する情報を受信する、
ことを特徴とする基地局装置。
【請求項１７】
ユーザー機器からのＮＣＴ  ＳＣＣへの測量請求によって、前記ＳＣＣの前記ＤＭ−ＲＳと前記ＣＳＩ−ＲＳのうち少なくとも一方に対して配置を行って、当該ユーザー機器が前記ＤＭ−ＲＳと前記ＣＳＩ−ＲＳのうち少なくとも前記一方により前記ＳＣＣに対して無線リンク測量を行うように配置される配置モジュールをさらに、有する、
ことを特徴とする請求項１６記載の基地局装置。
【発明の詳細な説明】
【技術分野】
【０００１】
本発明は通信分野、且つ特に、ニューキャリアタイプ（Ｎｅｗ  Ｃａｒｒｉｅｒ  Ｔｙｐｅ、ＮＣＴと略称する）セカンダリコンポーネントキャリア（Ｓｅｃｏｎｄａｒｙ  Ｃｏｍｐｏｎｅｎｔ  Ｃａｒｒｉｅｒ、ＳＣＣと略称する）のアクティブ制御装置及び方法、アクティブ管理方法、並びに基地局装置に関する。
【背景技術】
【０００２】
ＳＣＥ（Ｓｍａｌｌ  Ｃｅｌｌ  Ｅｎｈａｎｃｅｍｅｎｔ、スモールセル高度化）は、Ｒｅｌ−１２標準化作業の重点であり、その具体的な作業は、例えば物理方面のＮＣＴなど、いくつかの方面に関する。ＮＣＴはＳＣＥにおいて物理方面の肝心な支援技術であり、最初にＲｅｌ−１１のキャリアアグリゲーション高度化において提出されたので、最初にＳＣＣに対して検討され、キャリアアグリゲーションによってユーザー機器（Ｕｓｅｒ  Ｅｑｕｉｐｍｅｎｔ、ＵＥ）にサービスを提供する。ＮＣＴはＲｅｌ−１２におけるＷＩがＲＡＮ＃５７回会議において許可され、且つＲＡＮ＃５８回会議においてＷＩＤが更新され、その標準化作業は主に以下のような二つの階段に分けられる。即ち、
【０００３】
ＲＰ−１２２０２８においては、ＮＣＴの若干の特性が定義され、主に、ＮＣＴの設計によりキャリアに伝送された伝統的な制御信号伝達と共通の基準信号が低減されて、制御チャネルの干渉と伝送荷重が低減され、ユーザーのスループットと系統周波数の利用率が向上されている。ＮＣＴの上記特性により同形ネットにおける周辺ユーザー、及び異形ネットにおけるセルレンジ拡大領域がよくサポートされている。それと共に、ＮＣＴは新たな場合、例えば、基地局がデータ伝送しない時に現在のキャリアを停止させ、さらにネットの消費電力を低減し、エネルギー効率が向上されている。標準化作業では、ＮＣＴは非独立ＮＣＴ（ｎｏｎ−ｓｔａｎｄａｌｏｎｅ  ＮＣＴ、ＮＳ−ＮＣＴ）と独立ＮＣＴ（ｓｔａｎｄａｌｏｎｅ  ＮＣＴ、Ｓ−ＮＣＴ）などの二種類に分けられる。非独立ＮＣＴとは、周波数リソースブロックが独立ＮＣＴの操作をサポートしない場合に、例えば非対称ＦＤＤ周波数スペクトルの場合に、ＮＣＴが伝統的なＬＴＥキャリアとアグリゲーションされた後に使用される。そのうち、非独立ＮＣＴはさらに同期および非同期キャリアにも分けられ、同期のＮＣＴにおいて同期の信号を伝送する必要がなく、それとアグリゲーションされた伝統的なＬＴＥキャリアと時間−周波数領域の同期を行い、非同期のＮＣＴ自身が同期の信号を伝送し、同期の信号により同期を行う。
【０００４】
ステップ１：
非独立ＮＣＴの場合に対して標準化作業が行われ、ＮＣＴはキャリアアグリゲーションにより下位互換型キャリアと共存し、そのうち、上記場合はさらに同期キャリア及び非同期キャリアなど二つの異なる場合にも分けられる。
【０００５】
それと共に、当該ステップの作業は独立ＮＣＴに対して検討を行い、主な応用場合及びもたらされたメリットを評価して、独立ＮＣＴの場合の検討を行うことが必要かどうかを明確する。
【０００６】
ステップ２：
ステップ１の評価結果により、独立ＮＣＴに対してさらに検討する必要があると、ＳＣＥのＳＩの検討結果及び確定された最適化基準を結合して、独立ＮＣＴの場合に対して標準化を行う。
【０００７】
現在では、非独立ＮＣＴが標準化討論における主な場合であり、そのうち、非独立ＮＣＴの定義はＲＡＮ＃５７回会議において採択され、即ち目標周波数リソースブロックがＮＣＴの独立な操作をサポートしなく、例えば非対称ＦＤＤ周波数スペクトルの場合に、ＮＣＴが伝統的なＬＴＥキャリアとアグリゲーションされた後に使用される。
【０００８】
なお、ＲＡＮ１＃６６ｂｉｓ会議において、キャリアアグリゲーションの場合にＮＣＴを導入するという動機について共通認識を達成し、主に以下の三つの方面を含む。即ち、
（１）周波数スペクトルの効率を向上する。
（２）異形ネットの配置をサポートする。
（３）エネルギーを節約する。
【０００９】
上記三つの目標を達成するために、ＮＣＴを設計する際に、若干の共通の制御チャネル／信号、例えばＣＲＳをできるだけ除去する必要がある。しかし、ＣＲＳの存在は、ＵＥの時間‐周波数同期、ＲＲＭ測量、スモールセルの切り替えなどの機能に対して非常に重要であるので、ＮＣＴの場合に上記機能を如何に実現することは標準化において主な作業の一つである。ＬＴＥ  Ｒｅｌ−８／９バージョンにおいて、ＣＲＳの主な機能は以下を含む。即ち、
（１）ダウンリンクデータ（ＴＭｓ１−６）を復調し、チャネル及びＰＢＣＨチャネルを制御する。
（２）ＣＳＩフィード・バック（ＴＭｓ１−８）を計算する。
（３）ＵＥの時間−周波数領域の同期。
（４）ＲＲＣ−ＩＤＬＥ及びＲＲＣ−ＣＯＮＮＥＣＴＥＤの状態における移動性測量（ＲＳＲＰ／ＲＳＲＱ）。
（５）ＲＲＣ−ＣＯＮＮＥＣＴＥＤ状態におけるＲＬＭ測量。
【００１０】
ＬＴＥ  Ｒｅｌ−１１バージョンにおいて、非コードブックのプリコーディングに基づく伝送方法ＴＭ９が導入され、そのうち、ＴＭ９は最も８層の伝送をサポートするので、伝送効率を向上する。ＴＭ９は復調基準信号（ｄｅｍｏｄｕｌａｔｉｏｎ  ｒｅｆｅｒｅｎｃｅ  ｓｉｇｎａｌ、ＤＭ−ＲＳ）によりデータの復調を行う。ＣＳＩフィード・バックに対して、フィード・バックの精度を保証するために、ＣＳＩ−ＲＳによりチャネルの状況を推量し、且つＣＲＳにより干渉の状況を推量する。
【００１１】
現在の討論結果により、ＮＣＴにおいて使用可能な基準信号は以下の種類を含む。
【００１２】
（１）ＰＳＳ／ＳＳＳ
プライマリ同期信号（Ｐｒｉｍａｒｙ  Ｓｙｎｃｈｒｏｎｉｚａｔｉｏｎ  Ｓｉｇｎａｌ、ＰＳＳ）とセカンダリ同期信号（Ｓｅｃｏｎｄａｒｙ  Ｓｙｎｃｈｒｏｎｉｚａｔｉｏｎ  Ｓｉｇｎａｌ、ＳＳＳ）は主に最初のコード同期とフレーム同期に用いられる。ＮＣＴのおける同期キャリアの場合に、スモールセルの同期情報は伝統的なキャリアにより獲得されたので、ＮＣＴにおいてＰＳＳ／ＳＳＳ信号を除去して、さらにＮＣＴのリソース利用率を向上する。しかし、ＰＳＳ／ＳＳＳを除去することによるゲインがそんなに明らかでなく、それと共に標準化にさらに大きな影響を与え、且つＵＥの複雑さを増加させる。そのため、同期キャリアのＮＣＴにＰＳＳ／ＳＳＳ信号を除去するかどうかという問題について、現在で共通認識を達成しなく、さらに討論する必要がある。
【００１３】
（２）ＤＭ−ＲＳ
セル固有のＣＲＳと異なることは、ＤＭ−ＲＳがＵＥ固有の基準信号であり、特定のＰＲＢにおいて伝送され、ＵＥデータチャネルの復調に用いられる。異なるＵＥのＤＭ−ＲＳは同じＲＥを占用してもよく、ＣＤＭにより区分される。なお、ＤＭ−ＲＳはプリコーディング（ｐｒｅｃｏｄｉｎｇ）の前にリソース分配を完成したので、プリコーディングゲインを含むことができる。ＮＣＴにＤＭ−ＲＳがＰＳＳ／ＳＳＳと衝突する問題が存在し、現在の３ＧＰＰの討論により、主にＰＳＳ／ＳＳＳをシフト（ＰＳＳ／ＳＳＳ  ｓｈｉｆｔｉｎｇ）させ、又はＤＭ−ＲＳを（ＤＭ−ＲＳ  ｐｕｎｃｔｕｒｉｎｇ）パンクさせて、物理ダウンリンク共有チャネル（ＰＤＳＣＨ）の性能を向上し、ＰＤＳＣＨ／ｅＰＤＣＣＨ（高度化された物理ダウンリンク制御チャネル）の復調に便利であり、リソースの衝突を免れ、且つ将来に標準化の進化へのサポートに寄与する。
【００１４】
（３）チャネル状態情報−基準信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）
Ｒ１０バージョンにおけるＤＭ−ＲＳと同じように、ＣＳＩ−ＲＳの導入もＬＴＥ−Ａにおける８アンテナの配置をサポートするためであり、ＰＤＳＣＨチャネルのチャネルの推量に用いられ、成形ビームを実現する。ＣＳＩ−ＲＳは周波数領域において均一の間隔を置いて配置され、時間領域における配置がまれであり、同じように、同じＲＥを占用するＣＳＩ−ＲＳはＣＤＭにより区分される。且つ、ＣＳＩ−ＲＳはＵＥ固有の基準信号であり、使用前に基地局により配置される。
【００１５】
（４）縮減されたＣＲＳ
ＣＲＳ伝送がないので、ＮＣＴの伝送方法はＴＭｓ１−８をサポートしなく、それと共にＮＣＴにおけるｅＰＤＣＣＨチャネルはＤＭ−ＲＳに基づいて復調する。そのため、ＮＣＴにおいて、ＣＲＳを取り替えるために、さらに解决する必要がある問題は時間−周波数領域の同期、無線リソース管理（Ｒａｄｉｏ  Ｒｅｓｏｕｒｃｅ  Ｍａｎａｇｅｍｅｎｔ、ＲＲＭ）測量及びＴＭ９ムードにおける干渉測量を実現する必要がある。上記問題（同期及びＲＲＭ測量を含む）を解決するために、現在で討論の結果は縮減されたＣＲＳ（Ｒｅｄｕｃｅｄ  ＣＲＳ（共通の基準信号を縮減する））を増加する。縮減されたＣＲＳは依然としてＣＲＳに基づいて、ｐｏｒｔ０インタフェース及びＲｅｌ−８におけるシーケンスを使用して、５ｍｓごとに一回伝送する。縮減されたＣＲＳは従来のＣＲＳ（Ｔｒａｄｉｔｉｏｎａｌ  ＣＲＳ（ＴＲＳ））、拡大された同期信号（ｅｘｔｅｎｄｅｄ  Ｓｙｎｃｈｒｏｎｉｚａｔｉｏｎ  Ｓｉｇｎａｌ、ｅＳＳ）などとも称されている。
【００１６】
縮減されたＣＲＳ方案に対しては、現在でＲＡＮ４の討論に含まれ、エミュレーションはキャリア帯域幅がより小さい場合に性能の損失があると発見されている。そのため、基準信号の密度を増加させ、ＲＡＮ１に対して新たに縮減されたＣＲＳを設計する必要があるというＲＡＮ４の結論はある。
【００１７】
なお、縮減されたＣＲＳに対して、多くの内容、例えば、縮減されたＣＲＳがサブフレームに位置する具体的な位置、サブフレーム偏移の導入が必要になるかどうか、は確定されていない。サブフレーム偏移の導入は潜在する干渉問題を緩やかにできるが、複雑さを増加させる。それと共に、縮減されたＣＲＳがセル固有の周波数の偏移を保留する必要があるかどうかに対しては、会社によって異なる観点がある。要するに、縮減されたＣＲＳの具体的な内容はさらに改善される必要がある。
【００１８】
ＬＴＥ  Ｒｅｌ−１０にキャリアアグリゲーション機能が導入されて、ＩＭＴ−Ａにおいて伝送帯域幅が１００ＭＨｚに達する要求を満たす。キャリアアグリゲーション機能は及びＲＲＭ測量により実現されている。キャリアアグリゲーションついては、ＲＲＭ測量の目的はＵＥに対して移動的な管理を行うためでなく、コンポーネントキャリアのアクティブとアクティブ消去を実現する。
【００１９】
ＲＲＭは総合的に無線荷重の配置状況、端末受信能力及びキャリア荷重状況などの予め定められた条件のＱｏＳパラメーター（ＱＣＩ／ＧＢＲ／ＡＭＢＲ）を考慮に入れて、各ＵＥに一つのキャリア集合を配置してから、標準において定義された多種の測量事件に基づいて、ＵＥはそのキャリア集合におけるスモールセルに対して測量をしてネット側に報告し、ネットは測量結果に基づいてＳＣＣに対してアクティブ又はアクティブ消去を行う。ＵＥが多くのコンポーネントキャリア（Ｃｏｍｐｏｎｅｎｔ  Ｃａｒｒｉｅｒ、ＣＣ）を同時に配置する可能があるので、ＵＥが一つのＰＣｅｌｌと少なくとも四つのＳＣｅｌｌとの間の通信を保持する必要がある。ＵＥは切り替えを行うためにスモールセルの測量をするだけでなく、現在の無線環境によって、最適な一つ又は多くのスモールセルを選択してそれにサービスを提供する。ＵＥは異なる測量事件を選択して多くのスモールセルに対して測量を行う。Ａ３とＡ５事件に対して、基準スモールセルがサービスを提供しているＰＣｅｌｌであり、測量対象は任意の周波数又はサービスを提供しているＳＣｅｌｌである。Ａ６事件は同一周波数のＳＣｅｌｌ間の切り替えた測量だけを提供する。ＵＥのキャリア集合において、アクティブのスモールセルの測量はＲｅｌ−８において定義された過程と要求を一致に保持させ、その測量間隔はＵＥ固有であるが、アクティブしないＳＣｅｌｌの測量間隔はＲＲＣ信号伝達により配置される。
【００２０】
それと共に、コンポーネントキャリアのアクティブ／アクティブ消去はネット側により制御され、この時に、ネットは発出したＵＥでＭＡＣ制御単元に対してアクティブ／アクティブ消去を行うことによりＳＣＣのアクティブとアクティブ消去を行うが、ＭＡＣ層はＰＣｅｌｌのランダムアクセスの失敗と再伝送失敗の問題を上位層に報告する。チャネル品質指示（ＣＱＩ）の報告はアクティブ状態のＳＣｅｌｌだけに対するが、アクティブしないＳＣｅｌｌの無線リンク状況を提供することができない。しかし、ＲＲＭ測量は、アクティブ又はアクティブしないダウンリンクサブコンポーネントキャリア（ＤＬ  ＳＣＣ）に対して行われ、測量結果はＤＬ  ＳＣＣの現在の無線リンク品質を反映でき、ネット側は相応したＳＣｅｌｌがＵＥにサービスを提供することに適するかどうかを確定するために寄与する。
【００２１】
ＬＴＥ／ＬＴＥ−Ａ系統においては、無線リンク管理（ｒａｄｉｏ  ｌｉｎｋ  ｍａｎａｇｅｍｅｎｔ、ＲＬＭ）機能は主にＰＣＣの無線リンクに対して監視して、無線リンク状態が正常であるかどうかを確定して、無線通信系統の信頼性を保証する。Ｒｅｌ−１０／１１のＤＬ  ＳＣＣアクティブ／アクティブ消去においては、無線リンクマネジメンツ（Ｒａｄｉｏ  Ｌｉｎｋ  Ｍａｎａｇｅｍｅｎｔ、ＲＬＭ）機能が用いられていない原因は以下のとおりである。即ち、
（１）ＣＱＩ報告（アクティブ状態にあるＤＬ  ＳＣＣに対する）及び従来のＲＲＭ測量報告（アクティブ又はアクティブ消去状態にあるＤＬ  ＳＣＣに対する）の機能に基づいて、基地局はＤＬ  ＳＣＣの無線リンク品質が悪化するかどうかを検測することができる。
（２）ＲＲＭ測量報告機能（例えば、Ａ２ｅｖｅｎｔ）はリンク品質悪化のＤＬ  ＳＣＣを報告することができる。ＣＱＩ測量に比べて、ＲＲＭ測量結果のフィルタリングはＵＥ側に行われ、ネット側がＵＥにＲＲＭ測量を配置するだけでＤＬ  ＳＣＣのアクティブ消去を行うことができる。
（３）ＤＬ  ＳＣＣに無線リンクの失敗（Ｒａｄｉｏ  Ｌｉｎｋ  Ｆａｉｌｕｒｅ、ＲＬＦ）が発生した後に、ＵＥは自動的に相応するＳＣＣに対してアクティブ消去を行うことができないため、ｅＮｏｄｅＢ側がＵＥ側のキャリア集合と合致しないようになる。
（４）ＲＬＭ機能によりＳＣＣに対してアクティブ制御を行うと、ＵＥの複雑さを増加させる。
【００２２】
Ｒｅｌ−１０／１１においては、ＳＣｅｌｌのアクティブ／アクティブ消去はｅＮｏｄｅＢにより制御され、具体的に、従来にＲＲＭ測量基づくＳＣＣアクティブ／アクティブ消去の過程は主に以下のとおりである。即ち、
１．コンポーネントキャリア（ＰＳＳ／ＳＳＳにより、物理的なセルＩＤを得る）を発見する。
２．ＭＩＢ情報（帯域幅、ＰＨＩＣＨ配置及び系統フレーム番号などの情報を含む）を獲得する。
３．当該コンポーネントキャリアの信号品質（ＣＲＳのＲＳＲＰ／ＲＳＲＱ測量に基づく）を測量する。
４．定義された測量報告事件に基づいて測量報告（例えば、Ａ６事件、その前に説明した即時のＲＲＭ測量）を行う。
５．基地局は測量報告結果に基づいてＵＥが当該コンポーネントキャリアに対してアクティブ／アクティブ消去を行うかどうかを判断する。
【００２３】
それと共に、ネット側はＵＥ側に対して一つのタイマを配置することにより、ＵＥがデータとＰＤＣＣＨ情報を受信しない場合にＳＣＣに対して自動的にアクティブ消去を行う。そのステップは以下のとおりである。即ち、
１．ＵＥは配置された各ＳＣｅｌｌにＳＣｅｌｌアクティブ消去タイマ（ＳＣｅｌｌ  Ｄｅａｃｔｉｖａｔｉｏｎ  Ｔｉｍｅｒ）を設ける。
２．タイマが所定時間を超える前に、ＵＥはいかなるデータとＰＤＣＣＨ情報を受信しない。
３．タイマが所定時間を超える際に、ＵＥは自動的に相応するＳＣｅｌｌに対してアクティブ消去を行う。
【００２４】
しかし、ＮＣＴ場合に、ＰＳＳ／ＳＳＳとＰＢＣＨチャネルが除去される可能がある。これは従来のキャリアアグリゲーション機能を深刻に影響する。例えば、ＰＳＳ／ＳＳＳと物理放送チャネル（ＰＢＣＨ）が除去されると、コンポーネントキャリアを発見することとスモールセルの主系統情報（Ｍａｓｔｅｒ  Ｉｎｆｏｒｍａｔｉｏｎ  Ｂｌｏｃｋ、ＭＩＢ）を獲得することも困難になる。同期されたＮＣＴに対しては、ＮＣＴキャリアと系統情報（ＰＣＩ、ＳＦＮ、帯域幅情報など）は伝統的なキャリアにより指示できる。且つ、ＲＲＭ測量だけにとっては、系統帯域幅情報が非常に重要ではない（ＵＥが中心周波数に位置する若干のＲＢを測量してもいい）。なお、ＮＣＴがＳＣＣだけとして使用するので、指示チャネル（ＰＨＩＣＨ）の配置情報を物理的に混合して再伝送する必要がない。
【００２５】
上記説明から分かるように、ＮＣＴの場合に、基準信号の配置状況が大いに変化すると、伝統的なＳＣＣアクティブ制御方案がＮＣＴの場合に適用しないようになる。現在では、ＮＣＴの場合にＳＣＣのアクティブ制御を如何に行うかという問題に対して、有効な解决方案が提出されていない。
【発明の概要】
【００２６】
関連技術ではＮＣＴの場合にＳＣＣのアクティブ制御を行うことができないといいう問題に対して、本発明はＮＣＴ  ＳＣＣのアクティブ制御装置及び方法、アクティブ管理方法、並びに基地局装置を提出し、ＮＣＴ  ＳＣＣに対してアクティブ制御を行い、従来技術に存在する問題を解決することができる。
【００２７】
本発明の１つのアスペクトによれば、ＮＣＴ  ＳＣＣのアクティブ制御装置が提出される。当該装置は、基準信号ＤＭ−ＲＳ、チャネル状態指示基準信号ＣＳＩ−ＲＳのうち少なくとも一方に対して測量を行い、ＳＣＣに対して無線リンク測量を行うに用いられるように配置される測量モジュールと、測量結果に基づいてＳＣＣに対してアクティブ制御を行うに用いられるように配置されるアクティブ制御モジュールとを有する。
【００２８】
本発明の他の１つのアスペクトによれば、ＮＣＴ  ＳＣＣのアクティブ制御方法が提供される。当該方法は、基準信号ＤＭ−ＲＳ、チャネル状態指示基準信号ＣＳＩ−ＲＳのうち少なくとも一方に対して測量を行うことと、測量結果に基づいてＳＣＣに対してアクティブ制御を行うことを備える。
【００２９】
本発明の更に他の１つのアスペクトによれば、ニューキャリアタイプ（ＮＣＴ）、セカンダリコンポーネントキャリア（ＳＣＣ）を含むユーザー機器のキャリア集合に対して管理を行うように用いられる基地局装置が提供される。当該基地局装置は、ユーザー機器から基準信号ＤＭ−ＲＳ、チャネル状態指示基準信号ＣＳＩ−ＲＳのうち少なくとも一方によりＳＣＣに対して無線リンク測量を行って得る結果を受信する通信モジュールと、測量結果に基づいてユーザー機器のキャリア集合におけるＳＣＣのアクティブ状態に対して管理を行う管理モジュールとを有する。
【００３０】
本発明の他の１つのアスペクトによれば、ＮＣＴ  ＳＣＣを含むユーザー機器のキャリア集合に対して管理を行うＮＣＴ  ＳＣＣの管理方法が提供される。当該管理方法、ユーザー機器から基準信号ＤＭ−ＲＳ、チャネル状態指示基準信号ＣＳＩ−ＲＳのうち少なくとも一方によりＳＣＣに対して無線リンク測量を行って得る結果を受信することと、測量結果に基づいてユーザー機器のキャリア集合におけるＳＣＣのアクティブ状態に対して管理を行うことを備える。
【００３１】
本発明はＮＣＴの新たな特性とネット構造の変更により、ＮＣＴ  ＳＣＣの測量を行うために必要となる基準信号を提出して、ＮＣＴ  ＳＣＣに対して正確で合理的に測量を行うことができ、且つＲＬＭ機能とＲＲＭ機能によりキャリアのアクティブ制御／管理を行うために寄与する。
【図面の簡単な説明】
【００３２】
本発明の実施例又は従来技術における技術案を更に明瞭に説明するために、以下は実施例における図面を簡単に説明するが、明らかなように、以下に説明する図面は本発明のいくつかの実施例だけであり、当業者にとっては進歩的な労働を付与しないで、これらの図面により他の図面を獲得することができる。
【００３３】
【図１】図１は本発明の実施例に係るＮＣＴ  ＳＣＣのアクティブ制御装置を示すブロック図である。
【図２】図２は本発明の実施例に係るＮＣＴ  ＳＣＣのアクティブ制御方案の具体的な実現過程を示すフローチャートである。
【図３】図３は本発明の実施例に係るＮＣＴ  ＳＣＣのアクティブ制御方法を示すフローチャートである。
【図４】図４は本発明の実施例に係る基地局装置を示すブロック図である。
【図５】図５は本発明の実施例に係るＮＣＴ  ＳＣＣのアクティブ管理方法を示すフローチャートである。
【図６】図６は本発明技術案のコンピューターを示す概略構造ブロック図である。
【発明を実施するための形態】
【００３４】
以下は、図面を結合して本発明の例示的実施例を説明する。明瞭で簡潔になるように、明細書において実際の実施形態の全ての特徴を説明しない。しかし、分かるべきように、このような実際の実施例を開発する過程において実施形態に特定される決定を行うことにより、開発人員の具体的な目標を実現し、例えば、系統及び業務に関連する制限条件を満たし、且つこれらの制限条件は実施形態により変更する。なお、さらに分かるべきように、開発作業は非常に複雑で且つ時間がかかるが、本開示内容から益を得る当業者にとっては、このような開発作業は機械的な任務だけである。
【００３５】
ここで、さらに説明するのは、必要がない細節により本発明が不明にならないように、図面に本発明の方案に緊密に関連する装置構造と／又は処理ステップだけを示すが、本発明と大いに関連しない他の細節を省略する。
【００３６】
本発明の実施例によれば、ＮＣＴ  ＳＣＣのアクティブ制御装置が提供されている。
【００３７】
図１は本発明の実施例に係るＮＣＴ  ＳＣＣのアクティブ制御装置の構造を示す。
【００３８】
図１に示すように、本発明の実施例に係るＮＣＴ  ＳＣＣのアクティブ制御装置は、
基準信号ＤＭ−ＲＳ、チャネル状態指示基準信号ＣＳＩ−ＲＳのうち少なくとも一方に対して測量を行い、ＳＣＣに対して無線リンク測量を行うに用いられるように配置される測量モジュール１１と、
測量結果に基づいてＳＣＣに対してアクティブ制御を行うに用いられるように配置されるアクティブ制御モジュール１２とを有する。
【００３９】
そのため、本発明はＳＣＣアクティブ制御を行うために採用する基準信号を定義する。基準信号は既知のシーケンスとして、普通に信号の復調及びチャネル品質の測量に用いられている。ＣＳＩ−ＲＳはＲｅｌ−１０においてチャネル品質を測量する基準信号として導入され、ＣＳＩ−ＲＳがＵＥ固有に属するので、ＵＥがそれとアグリゲーションしない際に、ＣＳＩ−ＲＳを配置することができなくて、相応するチャネル品質の情報を獲得することができない。そのため、ＣＳＩ−ＲＳによりＳＣＣに対して無線リンク測量を行うために、基地局から予めＵＥにＣＳＩ−ＲＳを配置する。例えば、ＣＳＩ−ＲＳを配置する過程において、基地局はＵＥと通信することによりＣＳＩ−ＲＳの送信位置（即ち、当該送信位置をＣＳＩ−ＲＳの配置情報と理解してもよい。）をＵＥに通知して、ＣＳＩ−ＲＳにより測量を行う。一方では、ＤＭ−ＲＳにとっては、最初から信号復調の基準信号として使用され、ＵＥ固有の基準信号であり、ＤＭ−ＲＳをＳＣＣのアクティブに用いるならば、基地局は送信しようとするＤＭ−ＲＳのデータリソースブロックの位置（当該位置をＤＭ−ＲＳの配置情報と理解してもよい）ＵＥに通知して、ＤＭ−ＲＳにより測量を行う。例えば、ＵＥがまず現在の領域において使用できるＮＣＴキャリア（ＮＣＴキャリアの同期信号又はマクロ基地局の指示などを検測することにより、ＵＥは現在の領域において使用できるＮＣＴキャリアを獲得する）時に、ＵＥはこのＮＣＴキャリアにアクセスしてみて、この時のＵＥはこのキャリアの基準信号を測量する必要があるので、ＵＥはＰＣＣキャリアの基地局（例えば、伝統的な（ｌｅｇａｃｙ）キャリアの基地局）に請求を送信して、当該基地局はＵＥに当該ＮＣＴキャリアにおけるＣＳＩ−ＲＳ／ＤＭ−ＲＳを配置する。
【００４０】
上記受信されたＣＳＩ−ＲＳの配置情報と／又はＤＭ−ＲＳの配置情報により測量する方法以外、他の実施例によれば、時間をおいて固定のリソースを予め用意して、ＳＣＣの測量を行い、基地局はこれらのリソースにおいて既知のシーケンス（基準信号は本質上に既知シーケンスである）を送信して、それと共にＵＥは当該ＮＣＴキャリアの測量しようとするリソースブロックの位置（配置情報）を予め獲得するので、基地局と端末との間に配置情報を予め伝送する必要がない。ＵＥが固定リソースにおいて伝送する既知シーケンスの状況を受信することで、測量の目的を達成できる。
【００４１】
要するに、測量モジュール１１はＤＭ−ＲＳの配置情報と／又はＣＳＩ−ＲＳの配置情報により、ＤＭ−ＲＳとＣＳＩ−ＲＳのうち少なくとも一方を使用してＳＣＣに対して無線リンク測量を行う。
【００４２】
１つの実施例においては、測量モジュール１１はＳＣＣに対する無線リンク測量はＲＬＭ測量を備え、且つ、アクティブ制御モジュール１２はＲＬＭ測量によりＳＣＣに無線リンク失敗（ＲＬＦ）が出る場合に、ＳＣＣに対してアクティブ消去を行うように配置される。
【００４３】
そして、本発明の実施例に係るＮＣＴ  ＳＣＣのアクティブ制御装置はさらに被測量のＳＣＣにＲＬＦが出ることと／又はＳＣＣがアクティブ消去される（即ち、アクティブ消去の決定）ことをネット側に通知（報告）し、例えば、通信モジュールはこれらの情報を、キャリア集合を管理するマクロ基地局に通知する通信モジュール（示さない）以下を有する。１つの実施例においては、ＳＣＣにＲＬＦが出ることのみを報告し、この時、ＳＣＣが対応する標識をネット側に通知して、ネット側は報告の情報によって当該ＳＣＣに対してアクティブ消去の決定をする。他の１つの実施例においては、ＵＥはＳＣＣにＲＬＦが出る状況によって自発的に当該ＳＣＣにアクティブ消去を行うが、被測量のＳＣＣの被アクティブ消去の決定をネット側に通知して、ネット側においてキャリア集合を管理するユニットはこの決定によりキャリアの使用状態の維持と更新を行う。
【００４４】
１つの実施例においては、ＳＣＣに対してＲＬＭ測量を行う以外に、測量モジュール１１はＳＣＣに対する無線リンク測量は、さらにＲＲＭ測量を備え、且つ、アクティブ制御モジュール１２はさらに基地局がＲＲＭ測量結果に基づいて確定したアクティブ／アクティブ消去の指示により、ＳＣＣに対して相応するアクティブ制御を行う。つまり、ＲＲＭ測量を行った後に、基地局はＲＲＭの測量結果に基づいて被測ＳＣＣに対してアクティブ／アクティブ消去を確定し、且つ対応する指示を生成するが、アクティブ制御モジュール１２は基地局が生成した指示により、当該ＳＣＣに対してアクティブ／アクティブ消去を行う。ＲＲＭ測量を行う際に、ＣＳＩ−ＲＳに頼る。１つの選択可能な実施例において、縮減されたＣＲＳによりＲＲＭ測量機能を実現し、Ｒｅｌ−８におけるＣＲＳのｐｏｒｔ０インタフェースを依然として使用するので、標準の変更がより小さい。
【００４５】
他の１つの実施例においては、ＳＣＣに対してＲＬＭ測量を行う時に、測量モジュール１１はＤＭ−ＲＳにより高度化物理ダウンリンク制御チャネル（ｅＰＤＣＣＨ）と／又は物理ダウンリンク共有チャネル（ＰＤＳＣＨ）に対して測量を行うに用いるように配置される。
【００４６】
この時、測量モジュール１１はさらにＲＬＭ測量過程においてＳＣＣに無線リンク問題（Ｒａｄｉｏ  Ｌｉｎｋ  Ｐｒｏｂｌｅｍ、ＲＬＰ）が出ることを検測する場合に、ＲＬＰが出る原因を検出し且つ当該原因を基地局に報告して、基地局はＵＥが当該ＲＬＰを回復するように協力し、回復を行う時に、無線リンク回復（Ｒａｄｉｏ  Ｌｉｎｋ  Ｒｅｃｏｖｅｒｙ、ＲＬＲ）の検出を行うことができる。
【００４７】
実際には、本発明の方案（例えば、本発明のＲＬＭ機能によれば）は、正常状態、ＲＬＰを検測した状態／ＲＬＰから回復する状態、ＲＬＲの検測状態を備える。そのうち、ＲＬＰを検測した状態／ＲＬＰから回復する状態は他の二つの状態の転換条件である。つまり、正常状態においては、ＲＬＰを検測すると、ＲＬＲのステップに入る。ＲＬＲの検測過程において、ＲＬＰの回復を検測する、正常状態に回復する。ＲＬＰが出る原因を検測して且つ当該原因を基地局に報告し、実際にはＲＬＲステップに挿入される過程であり、その目的は基地局がＵＥがＲＬＰを回復するように協力して、さらに回復の速度を速め、回復の成功率を向上する。
【００４８】
具体的には、ＲＬＰが出たことを検測すると、ＲＬＲ検測の段階に入り、ＲＬＲ検測を行う過程において、測量モジュール１１はＲＬＰのタイプを検測することによりＲＬＰが出る原因を確定し、そのうち、ＲＬＰのタイプは一部周波数バンドがディープフェージングとなること及び一部周波数バンドの干渉が大きすぎること（例えば、一部周波数バンドの干渉レベルが予定値より高く、又は他の周波数バンドの干渉レベルの平均値より高い）を含む。そのうち、ＲＬＰのタイプを確定する際に、測量モジュール１１はＣＳＩ−ＲＳと縮減されたＣＲＳのうち少なくとも一方によりＳＣＣの全周波数バンドに対して測量を行い、且つ全周波数バンドの測量結果をｅＰＤＣＣＨ／ＰＤＳＣＨが位置する一部周波数バンドの測量結果と比較することによりＲＬＰのタイプを確定する。
【００４９】
具体的には、ＳＣＣに対して全周波数バンドの測量を行う際に、測量の方法は以下多種のような方法を含む。例えば、（方法一）ＳＣＣの全周波数バンドに対して測量して、ｅＰＤＣＣＨ／ＰＤＳＣＨが位置する一部周波数バンドの測量結果（当該測量結果がＲＳＲＰ、ＲＳＲＱ等であってもいい）及び他の周波数バンドの測量結果（他の周波数バンドの平均ＲＳＲＰ／ＲＳＲＱであってもいい）を獲得して、一部周波数バンドの測量結果を他の周波数バンドの測量結果と比較して、一部周波数バンドの測量結果が全周波数バンドの測量結果より低いと、ＲＬＰのタイプが一部周波数バンドがディープフェージングとなることであることを確定できる。（方式二）ＳＣＣの全周波数バンドに対して干渉測量を行って、ｅＰＤＣＣＨ／ＰＤＳＣＨが位置する一部周波数バンドの干渉レベルと他の周波数バンドの干渉レベル（例えば、他の周波数バンドの干渉レベルの平均値）を獲得して、それらを比較した後に、一部周波数バンドの干渉レベルが全周波数バンドの干渉レベルより高いと、ＲＬＰのタイプは一部周波数バンド干渉が大きすぎることを確定できる。
【００５０】
方式一によれば、ＲＬＰのタイプが一部周波数バンドがディープフェージングとなることを確定すると、即ち、ＲＬＰが出る原因はｅＰＤＣＣＨ／ＰＤＳＣＨが位置する一部周波数バンドにディープフェージングが出ることである。この時に、測量結果をアップリンク主キャリア（ＵＬ  ＰＣＣ）により基地局に報告し、且つその上にチャネル品質の情報の指示を付けて、現在の測量結果のうちチャネルの品質が最もよい複数のサブバンドを標識する。基地局がＵＥの報告を受信した後に、ｅＰＤＣＣＨ／ＰＤＳＣＨに対して周波数ダイバーシティを行い、又はｅＰＤＣＣＨ／ＰＤＳＣＨの周波数領域の位置を調整するなどの方式により、ＵＥがＲＬＰから回復するように協力する。
【００５１】
方式二によれば、ＲＬＰのタイプが一部周波数バンドの干渉が大きすぎることであるならば、即ち、ＲＬＰが出る原因はｅＰＤＣＣＨ／ＰＤＳＣＨが位置する一部周波数バンドに大きすぎる干渉が存在することである。この時、測量結果をＵＬＰＣＣにより基地局に報告し、且つ現在のチャネルの干渉状況の情報を付ける。基地局はＵＥの報告を受信した後に、周波数領域スモールセル間干渉協調（ＩＣＩＣ）などの方法により、ＵＥがＲＬＰから回復するように協力する。
【００５２】
１つの実施例においては、まず上記方式一により全周波数バンドの測量を行い、方式一によってＲＬＰのタイプを確定できないと、方式二により全周波数バンドの測量を行う。他の１つの実施例においては、まず方式二によって測量を行い、方式二によってＲＬＰのタイプを確定できないと、方式一によって全周波数バンドの測量を行う。他の実施例においては、測量モジュールは他の方式によって全周波数バンドの測量を行い、且つ上記方式一と／又は方式二を組み合わせて使用できる。そして、他の方式によって全周波数バンドの測量を行う時に、測量結果によってＲＬＰが出る他の原因を獲得する。この時に、他の方式によりＵＥがＲＬＰから回復するように協力する。
【００５３】
上記のように、ＲＬＰが出る原因を確定する過程（ＲＬＰタイプ検測）を説明し、ＲＬＰが出る原因を検測する目的はＵＥがＲＬＰからできるだけ回復するためであり、ＵＥが回復できないならば、当面に測量されＳＣＣにＲＬＦが出ると確定し、アクティブ制御モジュール１２は当該ＳＣＣに対してアクティブ消去を行う必要がある。
【００５４】
ＲＬＲの検測を行う時に、測量モジュール１１はさらにＳＣＣに対してＲＬＲの検測を行うために用いるように配置され、ＲＬＲの検測を行う時に、具体的に、測量モジュール１１は、ＤＭ−ＲＳによりＳＣＣの一部周波数バンドに対してＲＬＲの検測（即ち、サブバンドＲＬＲの検測）と／又は縮減されたＣＲＳによりＳＣＣの全周波数バンドに対してＲＬＲの検測（即ち、広帯域ＲＬＲ検測）、そのうち、ＲＬＲの検測によりＳＣＣがＲＬＰから回復できないと確定すると、測量モジュール１１はＳＣＣにＲＬＦが出ることを確定する。
【００５５】
つまり、ＲＬＲの検測においては、伝統的なＲＬＭ機能によりＲＬＲの検測が行われるが、ＲＬＲの検測の過程において、上記方式一と／又は方式二によりＲＬＰのタイプの検測が行なわれて、ＲＬＰがでる原因を有効に確定すると、周波数ダイバーシティ、ｅＰＤＣＣＨ／ＰＤＳＣＨの周波数領域位置の調整、と／又は周波数領域スモールセル間の干渉協調（ＩＣＩＣ）などの方式により、回復の速度を速め、ＲＬＲの検測の成功率を向上する。
【００５６】
その前に説明した方案においては、ＲＬＰが出るかどうかを確定するためにＳＣＣに対してＲＬＭ測量を行っても、ＳＣＣの一部周波数バンドに対してＲＬＲの検測を行っても、又はＳＣＣに対してＲＲＭ測量を行っても、ＤＭ−ＲＳによりＰＤＳＣＨに対して測量を行う時に、測量モジュール１１は変調および符号化方法（ＭＣＳ）と検測して得られたブロック誤り率（ＢＬＥＲ）により獲得したＰＤＳＣＨの伝送効率を評価閾値として当該ＰＤＳＣＨに対して評価する。
【００５７】
また、ＳＣＣに対してＲＬＭ測量を行ってＲＬＰが出るかどうかを確定しても、ＳＣＣの一部周波数バンドに対してＲＬＲ検測を行っても、ＳＣＣに対してＲＲＭ測量を行っても、ＤＭ−ＲＳが高度化物理ダウンリンク制御チャネルｅＰＤＣＣＨに対して測量を行う時に、測量モジュール１１は測量結果を所定ダウンリンク制御情報ＤＣＩ型のブロック誤り率（ＢＬＥＲ）にマップし且つ当該ＢＬＥＲによって当該ｅＰＤＣＣＨに対して評価をする。
【００５８】
本発明の技術案によって、ＮＣＴのアクティブ制御が改善されている。ＮＣＴは高度化スモールセル物理層の肝心な技術であり、Ｒｅｌ−１２において、ｉｎｔｅｒ−ｓｉｔｅ  ＣＡと二重接続などの新たな概念は標準化において注目され、これらの場合に、ＮＣＴの新たな特性とネット構造が変更されたので（非理想的バックホール、密集配置）、ＲＲＭ測量は精度方面の損失及び報告時間遅延の影響のため、もうネットの要求を満たしていない。本出願はＳＣＣ測量に使用される基準信号を提出し、上記一部の実施例において、ＮＣＴの変化を考慮に入れて、ＲＬＭ機能によりキャリアのアクティブ制御を行う。また、本出願の改善方案により、ＳＣＣに対してＲＲＭ測量も行うことができて、伝統的なＲＲＭが適用できないという問題を免れる。
【００５９】
以下は、本発明の実施例に係るアクティブ制御方案に対して詳細に説明する。
【００６０】
１．ＮＣＴキャリアにおける基準信号測量
無線通信系統においては、基準信号は若干の既知の送信シーケンスであり、主にチャネル推量又はチャネル測定に用いられる。ＮＣＴキャリアから伝統的なＣＲＳ基準信号が除去され、本発明はＤＭ−ＲＳ、ＣＳＩ−ＲＳ及び縮減されたＣＲＳなど３種の基準信号によってキャリア測量を行う方法を提供し、その上にＮＣＴキャリアにおけるＲＬＭ機能及びＮＣＴキャリアのキャリアアグリゲーション機能を実現する。
【００６１】
２．ＮＣＴキャリアのキャリアアクティブ機能
現在の標準化作業においては、ＮＣＴの主な応用場合は伝統的な下位互換キャリアとともに、セカンダリコンポーネントキャリアとして、キャリアアグリゲーションによりＵＥに対してサービスを提供する。しかし、ＵＥはアグリゲーションＮＣＴキャリアの前に、当該キャリアの可用性を把握する必要がある。伝統的なキャリアアグリゲーション機能においては、ＵＥは測量目標キャリアのＣＲＳ信号により、相応するＲＳＲＰ／ＲＳＲＱ結果を獲得して、目標キャリア信号の品質を評価する評価基準とされている。
【００６２】
ＮＣＴキャリアにおいては、縮減されたＣＲＳはＣＲＳを替えて上記測量を実現するが、縮減されたＣＲＳの送信周期が長いため、延在が稀であるので、測量の正確度は大いに低減し、且つ相応する性能の損失をもたらす。そのため、本発明はＮＣＴキャリアに存在するＤＭ−ＲＳ及びＣＳＩ−ＲＳ信号により、以下のようないくつかのＮＣＴキャリアの測量方法を提出する。注意すべきなのは、以下に説明される測量方法が組み合わせて使用されてもよく、単独に使用されてもいい。
【００６３】
（方法一）伝統的な下位互換キャリアにより、所定リソースブロックにおいて当該ＵＥのＤＭ−ＲＳ信号に属する信号が送信され、ＵＥは上記ＤＭ−ＲＳによりキャリアの測量を行う。上記基準においては、ＤＭ−ＲＳは送信されたデータと共に存在する。しかし、現在の場合に、ＵＥは当該ＮＣＴキャリアのアクティブを完成しないため、データが送信されない。そのため、リソースブロック内においてデータが送信されないで、又は全零シーケンス等などが送信される。
【００６４】
（方法二）伝統的な下位互換キャリアによって、ＣＳＩ−ＲＳの配置を完成し、ＵＥはＣＳＩ−ＲＳを測量することにより、キャリアの測量を行う。
【００６５】
（方法三）ＵＥは下位互換キャリアにＮＣＴのキャリアアグリゲーションが必要となるという指示を下した後に、ＮＣＴは測量を行うために、もっぱらに一定のリソースを配置する。当該測量用リソースは時間領域において持続しないで、ある特定のサブフレームの中に存在し、且つ周波数領域において周波数バンド全体を占めないで、あるＲＢ（例えば、中心周波数におけるＲＢ）だけを占める。当該リソースブロックを配置する時に、ユーザーを当該リソースブロックに配置することを免れる。それと共に、多くのユーザーは伝統的な下位互換キャリアにアグリゲーションＮＣＴキャリアを要求しても、これらのユーザーを同一のリソースブロックに配置して測量を行う。
【００６６】
３．ＮＣＴキャリアの無線チャネル監視
伝統的なキャリアと比べて、ＮＣＴは多くの新たな特性を有する。伝送データの有効性を向上するために、ＮＣＴは大量のスモールセル共通制御信号を削除する。それと共に、ＮＣＴにおいてｅＰＤＣＣＨで伝統的な制御チャネルを替える。ｅＰＤＣＣＨとＰＤＣＣＨとの最大の区別はデータ復調においてＤＭ−ＲＳを使用することであり、時間領域のＯＦＤＭコードにおいてリソースを分配する。そのため、ｅＰＤＣＣＨはＰＤＳＣＨによく似ている。それと共に、ＮＣＴは将来にさらによくスモールセルの応用場合をサポートする必要があり、将来にスモールセルが更に密集するようになり、ＮＣＴはより良い干渉協調機能を提供する必要がある。
【００６７】
ＮＣＴの上記特徴により、物理層のＲＬＦ検測機能は以下の方面に変更され且つ高度化される。
【００６８】
（ＢＬＥＲマップ）
物理層ＲＬＭ機能はＣＲＳの測量に基づいたものであり、ＣＲＳをＢＬＥＲにマップして、現在の同期及び脱同期の閾を簡単に定義する。そのため、ＢＬＥＲマップは依然としてＮＣＴの場合に使用される必要がある。
【００６９】
（Ｔ３１０／Ｎ３１０／Ｎ３１１）
物理層ＲＬＭ機能はＴ３１０／Ｎ３１０／Ｎ３１１カウンターに基づいて、この機能によりピンポン現象を有効に免れ、正確性と敏感さとの間においてバランスを取る。そのため、この機能は依然としてＮＣＴの場合に保持される必要がある。
【００７０】
（基準信号）
物理層ＲＬＭ機能はＣＲＳの測量に基づいて、ＮＣＴの場合に、ＣＲＳを削除する。そのため、他の基準信号で変える必要があり、選択可能な基準信号は、ＤＭ−ＲＳ、ＣＳＩ−ＲＳ、縮減されたＣＲＳである。
【００７１】
ここで、ＤＭ−ＲＳは第一の優先レベルを有すると認める。これはＣＲＳがダウンリンク制御チャネルの復調に用いられるため、伝統的なＲＬＭ機能がＣＲＳの測量に基づくからである。類推するように、ＤＭ−ＲＳがｅＰＤＣＣＨの復調に用いられるので、ＮＣＴの場合におけるＲＬＭ機能はＤＭ−ＲＳの測量に基づくのである。なお、ＤＭ−ＲＳはプリコーディングの前に導入されるので、プリコーディングゲインを獲得するため、さらに正確に現在のリソースブロックの誤りブロック率の情報を反映できる。それと共に、ＤＭ−ＲＳがＵＥ固有に属するので、ＤＭ−ＲＳのＲＬＭ機能に基づいて実際に反映するのはあるサブバンドにおけるリンク情報である。
【００７２】
ＣＳＩ−ＲＳはＵＥ固有の広帯域測量信号であり、時間領域において基地局がＵＥを配置する必要があるが、一般にチャネルＣＱＩ、ＰＭＩ、ＲＩなど情報の測量に用いられる。
【００７３】
縮減されたＣＲＳは、広帯域測量信号であり、伝送周期がより長いため（実際には、ＲＬＦ検測機能において、隣り合うインディケーションの間隔は１０ｍｓ以上であるため、そのＣＲＳ測量の間隔も１０ｍｓ以上であるべきであるため、この視点から言えば、縮減されたＣＲＳは時間上にＲＬＭ測量の要求を満たす。）、測量精度上に一定の損失が存在する。しかし、概して、縮減されたＣＲＳはＲＲＭ測量に適用するだけでなく、広帯域ＲＬＭ測量にも適用する。
【００７４】
（制御チャネル＆データチャネル）
ＮＣＴはもっぱらに伝送データを最適化するためであり、且つＰＤＳＣＨチャネルはｅＰＤＣＣＨチャネルと同じように、ＤＭ−ＲＳによりデータ復調を行う。そのため、ＮＣＴの場合に、ＰＤＳＣＨチャネルをＲＬＭ機能にさらに導入する。ＮＣＴがもっぱらに伝送データを最適化するので、ＮＣＴアクティブ消去において、ＰＤＳＣＨを測量の対象として測量がデータチャネルの伝送品質に配慮するようになる。ＰＤＳＣＨはｅＰＤＣＣＨと比べて重要性が異なる（制御チャネルの信頼性によりデータチャネルの伝送が成功するかどうかを決定する）し、特徴も異なる（ＰＤＳＣＨがＨＡＲＱ機能を有するため、伝送の誤りの発生を大いに低減させるので、二つのチャネルのＢＬＥＲへの要求も異なる）ので、ＰＤＳＣＨとｅＰＤＣＣＨとの評価基準も異なる。
【００７５】
（帯域幅の柔軟な配置）
ＮＣＴ設計の他の目標は帯域幅の柔軟な配置であり、周波数バンド全体内に広く延在される制御信号伝達／チャネルを削除した後に、ＮＣＴは非常に強い帯域幅の伸縮可能性を有する。そのため、ＮＣＴ下のＲＬＭ機能もこの特徴を有するべきである。
【００７６】
（干渉協調）
ＮＣＴはスモールセルの配置にサービスを提供し、将来に出現するスモールセルの密集配置の状況に対して、ＮＣＴにおけるＲＬＭ機能もより良い干渉協調機能を有するべきである。
【００７７】
４．ＮＣＴキャリアのアクティブ消去機能
ＮＣＴにおける基準信号の特徴のため、ＲＲＭ測量に基づく伝統的なキャリアアクティブ消去機能はＮＣＴにおいて性能が大いに損失される。そのため、本発明においては、ＲＬＭ機能がＮＣＴキャリアのアクティブ消去に用いられる。
【００７８】
（Ｒａｄｉｏ  Ｌｉｎｋ  Ｐｒｏｂｌｅｍ検測）
ＮＣＴの場合におけるＲＬＰ検測機能は主にｅＰＤＣＣＨのサブバンドＲＬＰ検測に基づくのである。ｅＰＤＣＣＨのサブバンドＲＬＰ検測は主にｅＰＤＣＣＨ上ＤＭ−ＲＳ信号の測量に基づくのであり、それを所定ＤＣＩ  ｆｏｒｍａｔ伝送のＢＬＥＲにマップし、他のステップは伝統的なＲＬＭ機能と同じであり、Ｔ３１０／Ｎ３１０／Ｎ３１１に基づくのである。摺動ウィンドウ時間内に、ＢＬＥＲは予め設計した閾値より高いため、上位層に脱同期指示を送信する。上位層が連続的に多くの脱同期指示を受信すると、現在にＲＬＰを検測したと認められ、相応するカウンターをアクティブして、ＲＬＲ過程に入る。
【００７９】
ＮＣＴ下のＲＬＰ検測機能はｅＰＤＣＣＨを考慮に入れるだけでなく、ＰＤＳＣＨチャネルも考慮に入れる。ＰＤＳＣＨチャネルのＲＬＰ検測もＰＤＳＣＨチャネルにおけるＤＭ−ＲＳ信号の測量に基づくのであり、評価基準は依然としてＢＬＥＲに基づいてもよく、又は他の基準にもとづいてもよく、例えば推量したＢＬＥＲをＭＣＳ情報を結合して、現在のＰＤＳＣＨ伝送の総伝送効率（例えば、周波数スペクトル利用率）を評価閾とする。
【００８０】
（Ｒａｄｉｏ  Ｌｉｎｋ  Ｐｒｏｂｌｅｍの類型検測）
ＲＬＰを検測した後に、現在にＲＬＰが発生する由来及び原因を区分する必要がある。
【００８１】
現在に発生するＲＬＰはｅＰＤＣＣＨチャネルであると、以下のステップによりＲＬＰが発生する原因を確定する。
【００８２】
（ステップ１）全周波数バンドの測量を配置する
全周波数バンドの測量は縮減されたＣＲＳ又はＣＳＩ−ＲＳに基づくのである。そのうち、ＣＳＩ−ＲＳは基地局により配置すれば使用され、それと共にＣＳＩ−ＲＳはＵＥ固有に属するため、定数外のデータチャネルのリソースを占める。そのため、縮減されたＣＲＳは全周波数バンドの測量の時に選択した好ましい方案である。
【００８３】
全周波数バンドの測量の目的は現在にＲＬＰが発生する原因が現在のＰＲＢにおいてディープフェージングが発生するかどうかを確定することである。まず、現在のサブバンド内の測量結果（ＲＳＲＰ／ＲＳＲＱを指示とする）を獲得し、且つ周波数バンド全体の平均測量結果と比較する。平均レベルより低いならば、現在にＲＬＰが発生する原因は一部周波数バンド内のディープフェージングによるのである。
【００８４】
次に、ＵＥは評価結果をＵＬＰＣＣにより基地局に報告し、且つ他にチャネル品質情報指示を帯びて、現在の測量結果のうちチャネルの品質が最も良いいくつかのサブバンドを標識する。基地局がＵＥの報告を受信した後に、ｅＰＤＣＣＨに対して周波数ダイバーシティを使用し、又はｅＰＤＣＣＨの周波数領域位置を調整するなどの方式により、ＵＥがＲＬＰから回復するように協力する。もし周波数ダイバーシティとｅＰＤＣＣＨ周波数領域位置の調整によりＵＥをＲＬＰから回復させないならば、ＵＥは相応するＮＣＴ  ＳＣＣをキャリアアクティブから除去する。
【００８５】
ＲＬＰは一部周波数バンド内のディープフェージングによるのではなければ、以下のステップ２を実施する必要がある。
【００８６】
（ステップ２）干渉測量を配置する
一部周波数バンド内のディープフェージングによるＲＬＰではなければ、干渉が多すぎることでもたらす可能性が大きい。この時、当該サブバンド及び周波数バンド全体に対して干渉測量を実行する必要がある。現在のチャネルの干渉状況が周波数バンド全体の平均干渉状況より高いかどうかを確定する。その状況ならば、現在のＲＬＰが発生する原因が一部周波数バンド内の干渉が多すぎることでもたらす可能性が大きい。
【００８７】
この時、ＵＥは評価結果をＵＬ  ＰＣＣにより基地局に報告し、且つ現在のチャネルの干渉状況の情報を帯びる。基地局がＵＥの報告を受信した後に、周波数領域ＩＣＩＣなどの方式により、ＵＥがＲＬＰから回復するように協力する。
【００８８】
現在のＲＬＰは一部周波数バンド内の干渉が多すぎることでもたらさなければ、ＵＥはあらためてランダムアクセス過程を実行し又は相応するＮＣＴ  ＳＣＣをキャリア集合から除去する。
【００８９】
そのうち、上記ステップ１とステップ２の順序も変更してもよい。また、現在にＲＬＰが発生するのはＰＤＳＣＨチャネルであってもよく、類似した方式によりＲＬＰが発生する原因を確定することができる。
【００９０】
（Ｒａｄｉｏ  Ｌｉｎｋ  Ｒｅｃｏｖｅｒｙ検測）
ＮＣＴ場合におけるＲＬＲ検測機能はサブバンドＲＬＲ検測及び広帯域ＲＬＲ検測に分けられることができる。
【００９１】
サブバンドＲＬＲ検測
サブバンドＲＬＲ検測機能は主にｅＰＤＣＣＨにおけるＤＭ−ＲＳ信号の測量にも基づくのであり、且つそれを所定ＤＣＩ  ｆｏｒｍａｔにマップしてＢＬＥＲに伝送する。所定滑動ウィンドウの内に、ＢＬＥＲは予定の閾値より低いと、現在に同期状態にあり、上位層に同期指示を送信する必要がある。上位層が多くの同期指示を連続的に受信すると、ＵＥは現在のＲＬＰから回復すると認められている。対応するカウンターが所定時間を超える前に回復しないと、現在にＲＬＦが発生すると認められている。
【００９２】
当該過程においては、この時ｅＰＤＣＣＨが分配したＰＲＢに変化が発生すると、滑動ウィンドウ及びＬ３フィルタをセットし直す。それと共に、Ｔ３１０カウンターは一定のバックスペースをし、又はタイマの閾値を相応して延長させるが、延長の総回数を制限すべきである。
【００９３】
広帯域ＲＬＲ検測方法
ＵＥは広帯域のＲＬＲ検測に配置されても良い。広帯域ＲＬＲ検測機能は縮減されたＣＲＳの測量に基づくのである。当該機能はＲｅｌ−８バージョンのＲＬＲ検測機能を良く融和する。
【００９４】
同じように、ＲＬＲ検測機能はＰＤＳＣＨチャネルを考慮に入れて、ＰＤＳＣＨ上のＤＭ−ＲＳ信号の測量に基づくのである。この時、評価の指標はもうＢＬＥＲではなく、推量したＢＬＥＲをＭＣＳ情報と結合して、現在のＰＤＳＣＨの伝送の総伝送効率（例えば、周波数スペクトル利用率）を得る。
【００９５】
図２を参照して、ＲＬＰ検測及びＲＬＰタイプ検測を行う。ＲＬＲ検測の過程は以下のとおりである。
【００９６】
まず、サブバンドに対して測量を行ってＲＬＰが出るかどうかを確定する。
【００９７】
例えば、Ｔ３１０／Ｎ３１０／Ｎ３１１カウンターに基づいて受信を行い、多くの脱同期指示（例えば、Ｎ３１０個）を連続的に受信しないと、サブバンドに対してＲＬＰ検測を行う。連続的にＮ３１０個の脱同期指示を受信すると、ＲＬＰが出ると確定する。この時、ＲＬＲ検測を行う必要がある。
【００９８】
ＲＬＲ検測を行う時に、全周波数バンドの測量を行う。
【００９９】
ＲＬＰが一部周波数バンドディープフェージングによるかどうかを判断する。そうと判断すると、当該原因（ＲＬＰタイプ）を基地局に報告し、且つ基地局によりＵＥがＲＬＰから回復するように協力する。
【０１００】
ＲＬＰが一部周波数バンドディープフェージングによるものではないと、ＲＬＰが一部周波数バンドの強い干渉によるのであるかどうかを判断する。
【０１０１】
ＲＬＰが一部周波数バンドの強い干渉によるのであると判断すると、当該原因（ＲＬＰタイプ）を基地局に報告し、且つ基地局によりＵＥがＲＬＰから回復するように協力する。
【０１０２】
ＲＬＰが出る原因を成功的に検測するか否かに係らず、（Ｔ３１０カウンターの期限になる前に）多くの同期指示を連続的に受信する（例えば、予定数量に達する）と、ＲＬＰから成功的に回復すると確定する。この時に正常状態においてＲＬＰが出るかどうかを検測し、そのうち、ＲＬＰタイプ（原因）の検測はＵＥがＲＬＰから回復することに寄与する。
【０１０３】
ＲＬＲ検測の過程においては、（在Ｔ３１０カウンターが期限となる前に）多くの同期指示を連続的に受信しない（例えば、連続的に受信した同期指示が予定数量に達しない）と、この時、ＲＬＦ事件を検測すると確定し、且つ当該事件が発生すると宣告することができる。
【０１０４】
以下は具体的な実例を結合して本発明を説明する。
【０１０５】
実例１
ＵＥはＮＣＴにより基地局と通信し、ＮＣＴのｅＰＤＣＣＨに対してサブバンドＲＬＰ検測をおこなう。具体的な実施ステップ以下のとおりである。
（１）ＮＣＴ  ｅＰＤＣＣＨチャネルにおいてＤＭ−ＲＳ信号に対して測量を行い、測量結果を所定ＤＣＩ  ｆｏｒｍａｔが伝送するＢＬＥＲにマップする。
（２）ＢＬＥＲを予定閾値と比較して、閾値より高いと、上位層に脱同期指示を送信する。
（３）Ｎ３１０個の脱同期指示を連続的に受信すると、ＵＥがＲＬＰを検測したと認められ、ＲＬＲ過程に入るように準備する。
【０１０６】
ＮＣＴにおけるＰＤＳＣＨに対しては、同じようにＲＬＰ検測を行い、具体的な方案は本実例のｅＰＤＣＣＨに対した測量の方案と類似するが、区別するのは評価の閾値がＢＬＥＲ推量値とＭＣＳ情報を結合して獲得する現在のＰＤＳＣＨの伝送総効率であることにある。
【０１０７】
実例２
ＵＥがＲＬＰを検測した後に、現在にＲＬＰが出る原因を区分する必要がある。具体的な実施ステップは以下のとおりである。
（１）Ｒｅｄｕｃｅｄ−ＲＳ又はＣＳＩ−ＲＳの全周波数バンドの測量を配置する。
（２）サブバンドの測量結果（ＲＳＲＰ／ＲＳＲＱにより指示する）と全周波数バンド平均測量結果を比較する。
（３）サブバンドの測量結果が平均測量結果より低いと、ＲＬＰが一部周波数バンドディープフェージングによるもとであると判断する。
（４）ＵＥは評価結果をＵＬ  ＰＣＣより基地局に報告し、且つチャネル品質指示情報を帯びて現在のチャネル品質が最も良いいくつかのサブバンドを標識する。
（５）基地局はＵＥの報告結果によりｅＰＤＣＣＨに対して周波数ダイバーシティ又は周波数領域位置の調整を行う。
【０１０８】
全周波数バンドの測量結果からＲＬＰが一部ディープフェージングによるものではなければ、干渉測量を配置し、ステップ以下のとおりである。
【０１０９】
サブバンド及び周波数バンド全体に対して干渉測量を行う。
【０１１０】
サブバンドの干渉状況が周波数バンド全体の干渉状況より高いと、ＲＬＰが発生する原因が一部周波数バンド内に干渉が大きすぎることによるものであると判断する。
【０１１１】
ＵＥは評価結果をＵＬ  ＰＣＣにより基地局に報告し、且つチャネル干渉状況の情報を帯びる。
【０１１２】
基地局はＵＥの報告結果に基づいて周波数領域ＩＣＩＣ方式を使用してＵＥがＲＬＰから回復するように協力する。
【０１１３】
ＰＤＳＣＨに対しては、同じように類似した方式によりＲＬＰが発生する原因を確定する。
【０１１４】
実例３
ＵＥがＲＬＰを検測した後にＲＬＲステップによりリンク回復を行い、回復が失敗すると、ＲＬＰが発生する。ＮＣＴのＲＬＲ検測の具体的な実施ステップ以下のとおりである。
（１）ＮＣＴ  ｅＰＤＣＣＨチャネルにおいてＤＭ−ＲＳ信号に対して測量を行い、測量結果を所定ＤＣＩ  ｆｏｒｍａｔが伝送するＢＬＥＲにマップする。
（２）ＢＬＥＲを予定閾値と比較して、閾値より低いと、上位層に同期指示を送信する。
（３）Ｔ３１０タイマ内にＮ３１１個の同期指示を連続的に受信すると、ＵＥがＲＬＰから回復すると認められる。
【０１１５】
なお、ＮＣＴ  ＰＤＳＣＨに対してＲＬＲ検測を行う時、同じようにＤＭ−ＲＳに基づくのであるが、区別するのは評価の閾値がＢＬＥＲ推量値とＭＣＳ情報を結合して獲得した現在のＰＤＳＣＨの伝送総効率である。
【０１１６】
そして、サブバンドＲＬＲ検測以外に、縮減されたＣＲＳに基づく広帯域ＲＬＲ検測方法を配置することもできる。
【０１１７】
本発明の実施例によれば、ＮＣＴ  ＳＣＣのアクティブ制御方法も提供される。
【０１１８】
図３に示すように、本発明の実施例に係るＮＣＴ  ＳＣＣのアクティブ制御方法は以下を含む。
【０１１９】
ステップＳ３０１、ＤＭ−ＲＳ、ＣＳＩ−ＲＳのうち少なくとも一方を測量することにより、ＳＣＣに対して無線リンク測量を行う。
【０１２０】
ステップＳ３０３、測量結果によってＳＣＣに対してアクティブ制御を行う。
【０１２１】
ＳＣＣに対して無線リンク測量を行う時、ＤＭ−ＲＳと／又はＣＳＩ−ＲＳの配置情報によって、ＤＭ−ＲＳとＣＳＩ−ＲＳのうち少なくとも一方によりＳＣＣに対して無線リンク測量を行う。
【０１２２】
そして、ＳＣＣに対しての無線リンク測量はＲＬＭ測量を含み、且つ、測量結果によってＳＣＣに対してアクティブ制御を行う時に、ＲＬＭ測量によりＳＣＣに無線リンクの失敗ＲＬＦが出る場合に、ＳＣＣに対してアクティブ消去を行う。
【０１２３】
そのうち、ＳＣＣに対しての無線リンク測量は無線リソース管理ＲＲＭ測量を含み、且つ、測量結果によってＳＣＣに対してアクティブ制御を行う時、基地局がＲＲＭ測量結果により確定されたアクティブ／アクティブ消去の指示に基づいて、ＳＣＣに対して相応するアクティブ制御を行う。
【０１２４】
また、ＳＣＣに対してＲＬＭ測量を行う時に、ＤＭ−ＲＳにより高度化物理ダウンリンク制御チャネルｅＰＤＣＣＨと／又は物理ダウンリンク共有チャネルＰＤＳＣＨに対して測量を行う。
【０１２５】
そして、ＲＬＭ測量過程において検測されたＳＣＣにＲＬＰが出る場合に、ＲＬＰが出る原因を検測して且つ当該原因を基地局に報告する。
【０１２６】
本発明に係るＮＣＴ  ＳＣＣのアクティブ制御方法は同じようにＲＬＰタイプ検測をも含み、ＲＬＲ検測の詳細過程は上記のように詳細に説明されたので、ここで省略する。
【０１２７】
本発明の実施例によれば、基地局装置が提供され、ＮＣＴ  ＳＣＣを含むユーザー機器のキャリア集合に対して管理する。
【０１２８】
図４に示すように、本発明の実施例に係る基地局装置は、ユーザー機器から基準信号ＤＭ−ＲＳ、チャネル状態指示基準信号ＣＳＩ−ＲＳのうち少なくとも一方によりＳＣＣに対して無線リンク測量を行って得る結果を受信する通信モジュール４１と、
測量結果に基づいてユーザー機器のキャリア集合におけるＳＣＣのアクティブ状態に対して管理を行う管理モジュール４２、を有する。
【０１２９】
当該基地局装置はさらに、
ユーザー機器からのＮＣＴ  ＳＣＣへの測量請求によって、当該ＳＣＣのＤＭ−ＲＳと／又はＣＳＩ−ＲＳに対して配置を行って、当該ユーザー機器がＤＭ−ＲＳとＣＳＩ−ＲＳのうち少なくとも一方によりＳＣＣに対して無線リンク測量を行うように配置される配置モジュール（示さない）を有する。
【０１３０】
そして、通信モジュール４１はさらにユーザー機器がＤＭ−ＲＳにより高度化物理ダウンリンク制御チャネルｅＰＤＣＣＨと／又は物理ダウンリンク共有チャネルＰＤＳＣＨに対してＲＬＭ測量を行って報告する情報を受信する。
【０１３１】
さらに、通信モジュール４１が受信したユーザー機器により報告された情報は当該ＲＬＰが出る原因を含む。
【０１３２】
そして、基地局装置はさらに、
ユーザー機器が当該ＲＬＰから回復するように協力するように配置される回復支援モジュール（示さない）を有する。
【０１３３】
具体的には、回復支援モジュールは、ＲＬＰが出る原因が一部周波数バンドディープフェージングである場合に、相応するｅＰＤＣＣＨ及び／又はＰＤＳＣＨに対して周波数ダイバーシティ又は周波数領域位置の調整を行うために配置されている。そして、回復支援モジュールはさらにＲＬＰの原因が一部周波数バンドの干渉が大きすぎることである場合に、相応するｅＰＤＣＣＨと／又はＰＤＳＣＨに対して周波数領域スモールセル間の干渉協調ＩＣＩＣ処理を行うために配置されている。他の原因によってＲＬＰが出る状況に対しては、回復支援モジュールは同じように他の方式によりユーザー機器が当該ＲＬＰから回復するように協力する。ＲＬＰタイプ（ＲＬＰが出る原因）によって、回復方式は周波数ダイバーシティ、ｅＰＤＣＣＨの周波数領域位置の調整、及び周波数領域ＩＣＩＣなどの方式を含むが、これらに限らない。
【０１３４】
通信モジュール４１が受信したユーザー機器が報告した情報はＲＬＭ測量結果がＳＣＣにＲＬＦがでることを含む場合に、管理モジュール４２はユーザー機器のキャリア集合における当該ＳＣＣをアクティブ消去に設置する。
【０１３５】
なお、通信モジュール４１はさらに、ユーザー機器がＤＭ−ＲＳとＣＳＩ−ＲＳにおけるのうち少なく一方によりＳＣＣに対してＲＲＭ測量を行って獲得した測量結果を受信し、且つ管理モジュール４２はさらに、当該測量結果によってユーザー機器のキャリア集合における当該ＳＣＣをアクティブ又はアクティブ消去に設置するために配置されている。
【０１３６】
本発明の実施例によれば、ＮＣＴ  ＳＣＣを含むユーザー機器のキャリア集合に対して管理を行うためのＮＣＴ  ＳＣＣの管理方法が提供されている。
【０１３７】
図５に示すように、本発明の実施例に係るＮＣＴ  ＳＣＣの管理方法は、
ユーザー機器から基準信号ＤＭ−ＲＳ、チャネル状態指示基準信号ＣＳＩ−ＲＳのうち少なくとも一方によりＳＣＣに対して無線リンク測量を行って得る結果を受信するステップＳ５０１と、
測量結果に基づいてユーザー機器のキャリア集合におけるＳＣＣのアクティブ状態に対して管理を行うステップＳ５０３と、を備える。
【０１３８】
ユーザー機器がＳＣＣに対して測量を行うに便利であるために、当該方法はさらに、
ユーザー機器がＮＣＴ  ＳＣＣへの測量請求により、当該ＳＣＣのＤＭ−ＲＳと／又はＣＳＩ−ＲＳに対して配置を行って当該ユーザー機器がＤＭ−ＲＳとＣＳＩ−ＲＳ中のうち少なく一方によりＳＣＣに対して無線リンク測量を行うことを含む。
【０１３９】
また、ユーザー機器から基準信号ＤＭ−ＲＳによりＳＣＣに対して無線リンク測量を行って獲得した結果を受信する時に、ユーザー機器がＤＭ−ＲＳによりｅＰＤＣＣＨと／又はＰＤＳＣＨに対してＲＬＭ測量を行って報告する情報を受信する。
【０１４０】
そして、受信したユーザー機器が報告した情報はさらに当該ＲＬＰが出る原因を含む。この時、当該方法はさらに、当該原因によりユーザー機器が当該ＲＬＰから回復するように協力することを含む。
【０１４１】
また、受信したユーザー機器が報告した情報はＲＬＭ測量結果がＳＣＣにＲＬＦが出ることを含む場合に、ユーザー機器のキャリア集合における当該ＳＣＣをアクティブ消去に設置する。
【０１４２】
上記のように、本発明はＮＣＴの新たな特性とネット構造の変更により、ＮＣＴ  ＳＣＣの測量を行うために必要となる基準信号を提出して、ＮＣＴ  ＳＣＣに対して正確で合理的に測量を行い、且つＲＬＭ機能とＲＲＭ機能によりキャリアの測量とアクティブ制御して、ＮＣＴの干渉協調能力を向上し、帯域幅の柔軟な配置を実現することができ、それと共に性能が損失しないように保証することができる。本出願の改善方案により、ＳＣＣに対してＲＲＭ測量を行って、伝統的なＲＲＭがＮＣＴに適用できないという問題を免れる。
【０１４３】
上記は具体的な実施例を結合して本発明の基本的な原理を説明するが、指摘する必要があるのは、当業者にとって、本発明の方法と装置の全部又はいかなるステップ又は部品を理解でき、いかなるコンピューター装置（処理器、記憶媒体などを含む）又はコンピューター装置のネットにおいて、ハードウェア、ファームウェア、ソフトウェア又はこれらの組合せにより実現することは、当業者が本発明の明細書を閲読する場合に基本的なプログラミング技能により実現することができる。
【０１４４】
そのため、本発明の目的はいかなるコンピューター装置においてプログラム又は一組のプログラムを運行させることにより実現される。前記コンピューター装置は公知の通用装置でもよい。そのため、本発明の目的は前記方法又は装置を実現するプログラムコードを含むプログラム製品で実現される。つまり、このようなプログラム製品も本発明を構成し、且つこのようなプログラム製品を記憶する記憶媒体も本発明を構成する。前記記憶媒体はいかなる公知の記憶媒体又は将来に開発するいかなる記憶媒体であってよい。
【０１４５】
本発明の他の実施例によれば、記憶媒体（当該記憶媒体がＲＯＭ、ＲＡＭ、ハードディスク、着脱可能なメモリーなど）がさらに提供され、当該記憶媒体にＮＣＴ  ＳＣＣのアクティブ制御を行うためのコンピュータープログラムが嵌入され、当該コンピュータープログラムは、以下のステップを実行するためのコード・セグメントを有する。ＤＭ−ＲＳ、ＣＳＩ−ＲＳのうち少なくとも一方を測量することにより、ＳＣＣに対して無線リンク測量を行う。測量結果によってＳＣＣに対してアクティブ制御を行う。
【０１４６】
本発明の他の実施例によれば、記憶媒体（当該記憶媒体はＲＯＭ、ＲＡＭ、ハードディスク、及び着脱可能なメモリーなど）がさらに提供され、当該記憶媒体にＮＣＴ  ＳＣＣのアクティブ制御を行うためのコンピュータープログラムが嵌入され、当該コンピュータープログラムは、以下のステップを実行するためのコード・セグメントを有する。ユーザー機器からＤＭ−ＲＳ、ＣＳＩ−ＲＳのうち少なくとも一方により、ＳＣＣに対して無線リンク測量を行って得た結果を受信する。測量結果によってユーザー機器のキャリア集合におけるＳＣＣのアクティブ状態に対して管理を行う。
【０１４７】
本発明の他の実施例によれば、コンピュータープログラムがさらに提供され、当該コンピュータープログラムは、以下のステップを実行するためのコード・セグメントを有する。ＤＭ−ＲＳ、ＣＳＩ−ＲＳのうち少なくとも一方を測量することにより、ＳＣＣに対して無線リンク測量を行う。測量結果によってＳＣＣに対してアクティブ制御を行う。
【０１４８】
本発明の他の実施例によれば、コンピュータープログラムがさらに提供され、当該コンピュータープログラムは、以下のステップを実行するためのコード・セグメントを有する。ユーザー機器からＤＭ−ＲＳ、ＣＳＩ−ＲＳのうち少なくとも一方により、ＳＣＣに対して無線リンク測量を行って得た結果を受信する。測量結果によってユーザー機器のキャリア集合におけるＳＣＣのアクティブ状態に対して管理を行う。
【０１４９】
本発明の他の実施例によれば、装置がさらに提供され、当該装置は処理器を有し、当該処理器は以下のようなＮＣＴ  ＳＣＣアクティブ制御ステップを実行するために配置されている。ＤＭ−ＲＳ、ＣＳＩ−ＲＳのうち少なくとも一方を測量することにより、ＳＣＣに対して無線リンク測量を行う。測量結果によってＳＣＣに対してアクティブ制御を行う。
【０１５０】
本発明の他の実施例によれば、装置（上記基地局装置側に設置されてもよく又は上記基地局装置の一部とされる）がさらに提供され、当該装置は処理器を有し、当該処理器は以下のようなＮＣＴ  ＳＣＣアクティブ制御ステップを実行するために配置されている。ユーザー機器からＤＭ−ＲＳ、ＣＳＩ−ＲＳのうち少なくとも一方により、ＳＣＣに対して無線リンク測量を行って得た結果を受信する。測量結果によってユーザー機器のキャリア集合におけるＳＣＣのアクティブ状態に対して管理を行う。
【０１５１】
ソフトウェアと／又はファームウェアによって本発明の実施例を実現する場合に、記憶媒体又はネットから専用ハードウェア構造のコンピューター、例えば図６に示した通用コンピューター６００に当該ソフトウェアを構成するプログラムをインストールし、当該コンピューターは各種のプログラムがインストールされた場合に、各種の機能などを実行することができる。
【０１５２】
図６においては、中央処理モジュール（ＣＰＵ）６０１は、リードオンリーメモリー（ＲＯＭ）６０２に記憶のプログラム又は記憶部分６０８からランダムアクセスメモリー（ＲＡＭ）６０３にロードされたプログラムにより各種の処理が実行されている。ＲＡＭ６０３においては、必要によってＣＰＵ６０１が各種の処理などを実行する時に必要となるデータを記憶する。ＣＰＵ６０１、ＲＯＭ６０２とＲＡＭ６０３はバス６０４により互いに接続されている。入力／出力インタフェース６０５もバス６０４に接続されている。
【０１５３】
下記部材は入力／出力インタフェース６０５に接続される。即ち、入力部６０６は、キーボード及びマウスなどを含む。出力部６０７は、例えばブラウン管（ＣＲＴ）、液晶ディスプレイ（ＬＣＤ）などのディスプレイ及びスピーカなどを含む。記憶部６０８は、ハードディスクなどを含む。通信部６０９は、例えばＬＡＮカードのネットインタフェースカード及び変復調装置などを含む。通信部分６０９は例えばインタネットなどのネットを介して通信処理を実行する。
【０１５４】
必要によって、ドライブー６１０も入力／出力インタフェース６０５に接続されている。着脱可能媒介６１１、例えば磁気ディスク、光ディスク、光磁気ディスク、半導体メモリーなどは必要によってドライブー６１０にインストールされて、それからコンピュータープログラムを読み出し、必要によって記憶部６０８にインストールされる。
【０１５５】
ソフトウェアにより上記一連の処理を実現する場合に、例えばインターネットなどのネットネ又は例えば着脱可能媒介６１１などの記憶媒体でソフトウェアのプログラムが構成される。
【０１５６】
当業者は理解すべきように、このような記憶媒体が図６に示す、プログラムを記憶し、装置から隔離ようにユーザーにプログラムを分配する着脱可能媒介６１１に限らない。着脱可能媒介６１１の例として、磁気ディスク（フロッピー・ディスク（登録商標）を含む）、光ディスク（光ディスクリードオンリーメモリー（ＣＤ−ＲＯＭ）とデジタル多用途ディスク（ＤＶＤ）を含む）、光磁気ディスク（ミニディスク（ＭＤ）（登録商標）を含む）と半導体メモリーを含む。又は、記憶媒体はＲＯＭ６０２、記憶部分６０８に含まれるハードディスクなどでもよい。そのうちに記憶されるプログラム、且つそれらを含む装置は一緒にユーザーに分配される。
【０１５７】
さらに指摘すべきなのは、本発明の装置と方法において、各部材又は各ステップを分解しそして／又は改めて組み合わることができる。これらの分解と／又は改めての組合せは明らかに本発明の均等方案と見なされるべきである。そして、上記一連の処理を実行するステップは自然的に上記説明の順序のように時間順序によって実行されることができるが、時間順序だけによって実行することではない。あるステップは合わせて実行し又は互いに独立に実行されることができる。
【０１５８】
本発明及びそのメリットを詳細に説明したが、特許請求の範囲に限定される本発明の精神と範囲から脱離しない場合に各種の変更、取替え及び変換をすることができる。また、本出願の用語「有する」、「含む」又は他の類似した用語は、非排他性の包含であるので、一連の要素を含む過程、方法、物品又は装置はそれらの要素を含むだけでなく、明確に挙げられない他の要素を含み、又はこのような過程、方法、物品又は装置に固有する要素をも含む。さらに制限しない場合に、「……を含む」で限定された要素は、前記要素の過程、方法、物品又は装置に他の同じ要素を含むことを排除しない。
【図１】
0006372570.tif 000002
【図２】
0006372570.tif 000003
【図３】
0006372570.tif 000004
【図４】
0006372570.tif 000005
【図５】
0006372570.tif 000006
【図６】
0006372570.tif 000007